(57)【要約】【課題】  ネットオークションにおいて出品者・落札者間のトラブルを未然に防ぐとともに、落札成立後の手続きを簡略化し、円滑な落札金の支払いを実現するネットオークションシステムを提供する。【解決手段】  ネットオークションシステムは、ネットオークションにおいて出品者が出品物を出品するための出品端末１と、その出品物を入札者が入札するための入札端末２と、これら出品者・入札者間のネットオークションを管理する主催者側の管理サーバ３と、ネットオークションに参加する出品者及び入札者の認証を行う認証サーバ４とを有して構成される。【選択図】        図１
2007249535.tif 000002
【特許請求の範囲】
【請求項１】
ネットオークションの出品者又は入札者がクレジットサービスに加入したときに認証用データを発行し、該発行した認証用データを用いて、前記出品者又は前記入札者がネットオークション参加時に認証を行うことを特徴とするネットオークションシステム。
【請求項２】
ネットオークションの管理を行う主催者側の管理サーバと、該管理サーバに対して出品物の出品登録を行う出品端末と、該登録された出品物に対して入札を行う入札端末と、前記出品又は入札のときに認証を行う認証サーバとが互いにネットワークを介して接続されてなるネットオークションシステムであって、
前記認証サーバは、前記出品端末又は入札端末からクレジットサービス加入要求を受信すると、該端末のユーザである出品者又は入札者の認証用のデータを発行し、
前記管理サーバは、前記出品端末又は前記入札端末から出品又は入札の要求を受信すると、前記認証サーバに前記出品者又は前記入札者の認証を問い合わせ、認証成功の場合、出品又は入札の処理を進めることを特徴とするネットオークションシステム。
【請求項３】
前記入札端末は、クレジットサービス入会時に発行されたカード番号を入力して前記認証サーバに送信し、オークション落札額のクレジットカード決済を行うことを特徴とする請求項２記載のネットオークションシステム。
【請求項４】
前記入札端末は、前記管理サーバに対してネットオークションの参加を要求すると、前記管理サーバからオークション入札用の画面情報を受信して表示し、
前記入札用の画面上には、主催者及び入札者を模したキャラクタと、現在の最高入札額と、クリックするごとに該最高入札額に一定額上乗せして入札額とするアイコンとが設けられていることを特徴とする請求項２又は３記載のネットオークションシステム。
【請求項５】
前記管理サーバは、前記出品端末又は前記入札端末から出品又は入札の要求を受信するとき、デジタル署名による認証を行うことを特徴とする請求項２又は３記載のネットオークションシステム。
【請求項６】
前記ネットオークションシステムは、映像を配信する映像配信装置をさらに有し、
前記管理サーバは、前記映像配信装置による配信映像の配信タイムテーブルを格納し、該タイムテーブルに基づいて、前記配信映像の内容に応じた出品物のオークション情報を前記入札端末に送信することを特徴とする請求項２から５のいずれか１項に記載のネットオークションシステム。
【請求項７】
前記入札端末は、前記配信映像を受信し、該受信した配信映像と、前記オークション情報とを合成し、同一画面上に表示することを特徴とする請求項６記載のネットオークションシステム。
【発明の詳細な説明】
【技術分野】
【０００１】
本発明は、ネットオークションシステムに関し、特に、インターネットを介して出品者・落札者の身分照会を行うネットオークションシステムに関する。
【背景技術】
【０００２】
近年、インターネットの普及に伴い、ネットオークションがインターネット上で活発に開催されている。このネットオークションは、従来のオークションとは異なり、低額なものでも気楽に出品することができることから、多くのユーザに利用されている。また、ネットオークションでは、古本屋や古美術商等の仲介者を介さずに出品者と落札者が直接売買するため、両者にとって経済面でのメリットが大きい。
【０００３】
しかしながら、ネットオークションは気軽に参加できる反面、インターネット特有の匿名性から、売買の相手側の素性がわかりづらく信用に欠け、出品物が届かなかったり、落札金が支払われなかったりといったトラブルを招くことが多い。
【０００４】
このようなネットオークションにおけるトラブルを未然に防ぐための方法の１つに、エスクローサービスの利用がある。
このエスクローサービスとは、落札者及び出品者以外の第三者機関であるエスクローサービスの提供会社（以下、エスクロー会社という）が、落札金の徴収及び支払いを代行することにより、出品物の未送や落札金の未払いといったトラブルを未然に防ぐものである。
【０００５】
このようなエスクローサービスに関するものとしては、特許文献１に開示されるエスクローシステム、エスクロー方法およびエスクロープログラムが提案されている。
この特許文献１に開示されるエスクローシステムは、以下のようにエスクローサービスを提供する。出品物の落札が決定すると、このシステムのサーバは、落札者の端末に落札金の請求書を送信する。そのサーバは、この落札金をエスクロー会社で預かったことを確認すると、出品物の発送を促す通知を出品者端末に送信する。その後、サーバが落札者端末から出品物を受領した通知を受信すると、エスクロー会社は出品者側に落札金を支払う。
特許文献１では、このように、サーバがエスクローサービスに関する処理を実行することで、出品物の売買における、出品者・落札者間のトラブルを回避可能としている。
【特許文献１】特開２００２−２５９８７３
【発明の開示】
【発明が解決しようとする課題】
【０００６】
しかしながら、その特許文献１に示されているようなエスクローシステムにおいては、以下のような問題が生じてしまう。
落札者側の問題としては、従来のネットオークションと同様に、銀行等を訪れて落札金の支払うといった煩雑な手続きを行わなければならないという問題がある。このことは、落札金の支払いの遅延につながり、出品物の売買が円滑に行われない原因となってしまう。
また、出品者側の問題としては、この落札金の支払いの遅れによりそのまま受け取り時期の遅れが生じてしまう。また、例え落札金の支払いがスムーズに行われたとしても、出品物を受領した旨の通知をサーバ側が受信しない限り出品者側に落札金が支払われないので、落札者側がその通知を送信するのが遅れると、出品者は、そのまま落札金の受け取り時期も遅れてしまうという問題もある。
また、エスクロー会社にとっては、このような落札者側や出品者側の手続きの遅れにより、管理が必要な手続き未完了の売買取引を長期にわたって大量に抱えることになり、業務処理の効率面に支障をきたすという問題が生じる。
【０００７】
本発明は、上記問題点に鑑みてなされたものであり、ネットオークションにおいて出品者・落札者間のトラブルを未然に防ぐとともに、落札成立後の手続きを簡略化し、円滑な落札金の支払いを実現するネットオークションシステムを提供することを目的とする。
【課題を解決するための手段】
【０００８】
かかる目的を達成するため、本発明におけるネットオークションシステムは、ネットオークションの出品者又は入札者がクレジットサービスに加入したときに認証用データを発行し、発行した認証用データを用いて、出品者又は入札者がネットオークション参加時に認証を行うことを特徴とする。
【０００９】
また、本発明は、ネットオークションの管理を行う主催者側の管理サーバと、管理サーバに対して出品物の出品登録を行う出品端末と、登録された出品物に対して入札を行う入札端末と、出品又は入札のときに認証を行う認証サーバとが互いにネットワークを介して接続されてなるネットオークションシステムであって、認証サーバは、出品端末又は入札端末からクレジットサービス加入要求を受信すると、端末のユーザである出品者又は入札者の認証用のデータを発行し、管理サーバは、出品端末又は入札端末から出品又は入札の要求を受信すると、認証サーバに出品者又は入札者の認証を問い合わせ、認証成功の場合、出品又は入札の処理を進めることを特徴とする。
【００１０】
また、本発明におけるネットオークションシステムによれば、前述の入札端末は、クレジットサービス入会時に発行されたカード番号を入力して認証サーバに送信し、オークション落札額のクレジットカード決済を行うことを特徴とする。
【００１１】
また、本発明におけるネットオークションシステムによれば、前述の入札端末は、管理サーバに対してネットオークションの参加を要求すると、管理サーバからオークション入札用の画面情報を受信して表示し、その入札用の画面上には、主催者及び入札者を模したキャラクタと、現在の最高入札額と、クリックするごとに最高入札額に一定額上乗せして入札額とするアイコンとが設けられていることを特徴とする。
【００１２】
また、本発明におけるネットオークションシステムによれば、前述の管理サーバは、出品端末又は入札端末から出品又は入札の要求を受信するとき、デジタル署名による認証を行うことを特徴とする。
【００１３】
また、本発明におけるネットオークションシステムは、映像を配信する映像配信装置をさらに有し、前述の管理サーバは、映像配信装置による配信映像の配信タイムテーブルを格納し、タイムテーブルに基づいて、配信映像の内容に応じた出品物のオークション情報を入札端末に送信することを特徴とする。
【００１４】
また、本発明におけるネットオークションシステムによれば、前述の入札端末は、配信映像を受信し、受信した配信映像と、オークション情報とを合成し、同一画面上に表示することを特徴とする。
【００１５】
なお、以上の構成要素の任意の組み合わせや、本発明の構成要素や表現を方法、装置、システム、コンピュータプログラム、コンピュータプログラムを格納した記録媒体などの間で相互に置換したものもまた、本発明の態様として有効である。
【発明の効果】
【００１６】
本発明によれば、クレジットサービス入会時に発行した信頼性の高い認証用データを用いて、オークション開催時に出品者又は入札者の認証を行うので、ネットオークションにおいて出品者・落札者間のトラブルを未然に防ぐとともに、落札成立後の手続きを簡略化し、円滑な落札金の支払いを実現することが可能となる。
【発明を実施するための最良の形態】
【００１７】
＜第１の実施の形態＞
（第１の実施の形態の構成）
図１は、本発明の第１の実施の形態におけるネットオークションシステムの構成を示す図である。以下、図を用いて、ネットオークションシステムの構成について説明する。
ネットオークションシステムは、ネットオークションにおいて出品者が出品物を出品するための出品端末１と、その出品物を入札者が入札するための入札端末２と、これら出品者・入札者間のネットオークションを管理する主催者（以下、単に主催者という）側の管理サーバ３と、ネットオークションに参加する出品者及び入札者の認証を行う認証サーバ４とを有して構成される。
これらの各端末及びサーバは、インターネット等のネットワークを介して互いに接続されている。
【００１８】
出品端末１は、オークションの出品者により操作されるネットワークに接続可能な情報処理装置である（例えば汎用ＰＣや携帯電話機等）。出品者は、この出品端末１を操作してオークション用のＷｅｂページにアクセスし、オークションに提供する出品物の登録を行う。
【００１９】
入札端末２は、オークションの入札者により操作されるネットワークに接続可能な情報処理装置である（例えば汎用ＰＣや携帯電話機等）。入札者は、この入札端末２を操作してオークション用のＷｅｂページにアクセスし、入札を希望する出品物を指定する。
【００２０】
管理サーバ３は、主催者により管理される情報処理装置である（例えばワークステーション等）。管理サーバ３は、インターネット上にオークション用のＷｅｂページを公開するＷｅｂサーバとしての機能を備えている。
さらに、管理サーバ３は、公開鍵や秘密鍵を発行して、前述の出品端末１又は入札端末２から受信したデータについてデジタル署名による認証を行う機能を備えている。
また、管理サーバ３は、オークションに関するデータを蓄積するデータベース３１を備えており、このデータベース３１には、出品者又は入札者の個人データ（氏名、アドレス、出品／入札／落札の有無等）や、出品物の管理データ（物品、出品者、入札者、現在の状態等）が管理されている。
【００２１】
認証サーバ４は、信販会社により管理されている、出品者や入札者の認証用の情報処理装置である（例えばワークステーション等）。
認証サーバ４には、この信販会社が提供するクレジットサービスの入会者のデータを蓄積するデータベース４１を備えており、このデータベース４１には、そのクレジットサービスに入会した出品者又は入札者の個人データ（氏名、住所、カード番号、クレジット限度額、入会時の審査の履歴等）が管理されている。
認証サーバ４は、ネットオークションに参加する出品者又は入札者の認証を行うことで、そのオークションの参加者の透明性を確保できるようになっている。
また、認証サーバ４は、インターネット上にクレジットサービスの入会用及び認証用のＷｅｂページを公開するＷｅｂサーバとしての機能も備えている。
【００２２】
（第１の実施の形態の動作）
図２〜４は、本発明の第１の実施の形態におけるネットオークションシステムによる動作の流れを示すシーケンスチャートである。
以下、これらの図に沿って、本実施の形態における（１）出品者又は入札者の登録動作、（２）出品者の出品物登録動作、（３）入札者の出品者入札動作の各動作について順を追って説明する。
【００２３】
（１）出品者又は入札者の登録動作
最初に、出品者又は入札者は、ネットオークション参加前に、信販会社のクレジットサービスに加入して、会員登録を行う。以下、この登録処理について説明する。
【００２４】
まず、出品者又は入札者は、それぞれ端末１，２を用いて、認証サーバ４にアクセスして（ステップＳ１０１）、クレジットサービス入会用のＷｅｂページをダウンロードし（ステップＳ１０２）、画面上に表示する（ステップＳ１０３）。
出品者又は入札者は、それぞれ端末１，２を用いて、その入会用ページ上の入力欄に、入会に必要な事項を入力し、この入力内容とともにクレジットサービスに入会を希望する旨の情報を認証サーバ４に送信する（ステップＳ１０４）。
ここで、入会に必要な事項とは、例えば、出品者又は入札者の氏名、住所、性別、電話番号、メールアドレス等であり、これらに限定されないものとする。
【００２５】
認証サーバ４は、その入力内容を受信すると、その内容を表示する（ステップＳ１０５）。信販会社側は、その内容に基づき、必要であれば郵送等で出品者又は入札者の書類を取り寄せて、入会の審査を行う。
審査の結果、信販会社側が出品者又は入札者の入会を許可すると、認証サーバ４は、出品者又は入札者の認証用のデータ（ＩＤ，パスワード，カード番号等）を発行し、この認証用データとともに、出品者又は入札者の個人データをデータベース４１に登録する（ステップＳ１０６）。
そして、認証サーバ４は、これらの発行した認証用データと、入会を許可した旨の通知とを、その入会を許可した出品者又は入札者の端末１，２に送信する（ステップＳ１０７）。
【００２６】
このように、出品者側又は入札者側は、オークション参加前に予め信販会社により入会審査を受け、その審査の結果発行された認証データを、オークション参加時に用いるので、透明性の高いネットオークションを開催することができる。
また、落札時には、加入したクレジットサービスを利用することで、落札金の支払いを一元的かつ容易に行うことが可能となる。
【００２７】
（２）出品者の出品物登録動作
そのクレジットサービスへの入会登録の完了後、出品者は、出品物を出品する際、出品端末１を用いて、管理サーバ３にアクセスし、ＩＤ、パスワード、氏名等を入力して管理サーバ３に送信する（ステップＳ２０１）。
管理サーバ３は、出品者のＩＤ・パスワード等を受信すると、その受信したＩＤ・パスワードを認証サーバ４に送信して、出品者の認証を要求する（ステップＳ２０２）。
認証サーバ４は、そのＩＤ・パスワードを受信すると、この受信したＩＤ・パスワードの組み合わせと、データベース４１内のＩＤ・パスワードの組み合わせとを照合して、両者が一致であれば認証成功、不一致であれば認証失敗と判断し（ステップＳ２０３）、その出品者の認証結果を管理サーバ３に返信する（ステップＳ２０４）。
【００２８】
管理サーバ３は、認証サーバ４からその出品者の認証結果を受信し、その結果が認証失敗であれば（ステップＳ２０５／Ｎｏ）、その旨の通知を出品端末１に送信し（ステップＳ２０６）、主催者側は、その後の出品手続きを中止する。
【００２９】
一方、管理サーバ３が認証成功の認証結果を受信した場合には（ステップＳ２０５／Ｙｅｓ）、その旨の通知とともに、出品物登録用のＷｅｂページを出品端末１に送信する（ステップＳ２０７）。
出品端末１は、その認証成功の旨の通知とともに、出品物登録用のＷｅｂページを管理サーバ３から受信すると、そのＷｅｂページを表示する（ステップＳ２０８）。
出品者は、出品端末１を用いて、出品物登録用Ｗｅｂページ上の入力欄に、今回出品する出品物の物品名、希望価格、入札締切時期等の各項目（出品条件）を入力し、その入力内容（以下、出品データという）を管理サーバ３に送信する（ステップＳ２０９）。
管理サーバ３は、その出品データを受信すると、データベース３１にその受信情報を登録する（ステップＳ２１０）。
その後、管理サーバ３は、その登録内容をオークション用のＷｅｂページ上に公開し（ステップＳ２１１）、その出品物のオークション参加をＷｅｂ上で受け付ける。
【００３０】
このように、出品者が出品物を出品する際、信販会社側の認証サーバ４が発行した信頼性の高い認証データを用いて認証を行うので、出品者の素性を明確にし、出品の際の不正を容易に防止することができるようになる。
【００３１】
（３）入札者の入札動作
クレジットサービスへの入会登録完了後、入札者は、ネットオークションの出品物の入札に参加できるようになる。
入札者は、出品者の場合と同様に、入札端末２を用いてＩＤ・パスワードによりログインし、認証成功であれば、管理サーバ３からオークション用のＷｅｂページを受信し、表示することができる（ステップＳ３０１）。なお、その入札者の認証方法については、出品者と同様であるので説明を省略する。
入札者は、入札端末２を用いて、そのＷｅｂページ上に示されている出品物の一覧から、入札する出品物を指定し、入札額を入力する。そして、入札端末２は、この指定された出品物及び入札額の情報（以下、入札データという）を管理サーバ３に送信する（ステップＳ３０２）。
【００３２】
管理サーバ３は、その入札データを受信すると、データベース３１に蓄積するとともに、オークション用のＷｅｂページにこの蓄積内容を追加反映させる（ステップＳ３０３）。
【００３３】
その後、管理サーバ３は、出品物の入札締切時期に至ったことを確認すると（ステップＳ３０４／Ｙｅｓ）、その出品物のこれ以降の入札を停止する（ステップＳ３０５）。
管理サーバ３は、入札を停止した時点で最も高額な入札額を入力した入札者を落札者とし、その落札できた旨の通知（以下、落札通知という）をその落札者の入札端末２に送信する（ステップＳ３０６）。
【００３４】
落札者の入札端末２は、その落札通知を受信すると、管理サーバ３にアクセスして（ステップＳ３０７）、クレジット決済のための認証用のページをダウンロードし（ステップＳ３０８）、この認証用のページを表示する（ステップＳ３０９）。
落札者は、入札端末２を用いて、その認証用Ｗｅｂページ上の入力欄に、クレジットサービスの名義人名やカード番号等を入力し、これらの入力情報とともに今回の落札データ（落札品名、落札価格等）を管理サーバ３に送信する（ステップＳ３１０）。
【００３５】
管理サーバ３は、その入力情報及び落札データを受信すると、その入力情報及び落札額を認証サーバ４に送信し、落札額のクレジット決済を要求する（ステップＳ３１１）。
【００３６】
認証サーバ４は、その入力情報及び落札データを受信すると、その受信した名義人名及びカード番号の組み合わせと、データベース４１内の名義人名及びカード番号の組み合わせとを照合する（ステップＳ３１２）。
【００３７】
両者が一致しない場合（ステップＳ３１２／Ｎｏ）、認証サーバ４は、その認証結果（失敗）を管理サーバ３に送信する（ステップＳ３１７）。
管理サーバ３は、この認証結果（失敗）を受信すると、再度名義人名やカード番号の入力を促す旨の通知を入札端末２に送信する（ステップＳ３１８）。
【００３８】
一方、両者が一致すれば（ステップＳ３１２／Ｙｅｓ）、認証サーバ４は、認証成功とし、銀行等の金融機関のサーバ（図示せず）にアクセスして残高の確認を行った上で、落札金のクレジット決済処理を行う（ステップＳ３１３）。
そして、クレジット決済処理完了後、そのクレジット決済が完了した旨の情報（以下、決済完了情報という）を管理サーバ３を介して出品端末１及び入札端末２に送信する（ステップＳ３１４〜Ｓ３１６）。
【００３９】
入札端末２は、その決済完了情報を受信すると、その決済が完了した旨を画面上に表示し、落札者はその旨を確認する。
一方、出品端末１においても、前述の決済完了情報を受信すると、その決済が完了した旨を画面表示する。出品者は、その決済完了を確認すると、出品物の発送等の作業を行う。
なお、その後、出品者はこの決済額（落札額）を受け取ることになるが、その一部を手数料（仲介料）として主催者側が受け取る。
【００４０】
このように、出品者及び落札者は、信販会社のクレジットサービスに入会の際に、予め身分照会を行ってから認証サーバ４によって認証の登録を行い、出品又は落札時には、その信販会社側の認証サーバ４で認証を行うことにより、インターネット特有の匿名性の問題を解決し、落札金の不払いや支払の遅れ、出品物の未発送や発送遅れといったネットオークションにおける不正を容易に防止することが可能となる。
また、その信販会社側の認証サーバ４が、前述の認証処理に加えて、落札金の自動決済処理を行うので、ネットオークションにおける落札金の遅延や不払いといったトラブルの発生を防止することが可能となる。
このようにして出品者又は入札者が、安心してネットオークションに参加することができた結果、主催者側も多数の参加者を集めることが可能となる。
【００４１】
（４）出品又は入札時のデジタル署名処理
なお、本実施の形態では、出品者又は入札者のなりすましを防止するために、デジタル署名の技術を用いる。
図５は、本実施の形態におけるネットオークションシステムによるデジタル署名処理の流れを示すシーケンスチャートである。
以下、この図に沿って、本実施の形態におけるデジタル署名処理について説明する。
【００４２】
まず、信販会社側が出品者又は入札者の入会を許可すると、管理サーバ３は、出品者ごと又は入札者ごとに個別の秘密鍵を作成し（ステップＳ４０１）、その作成した参加者個別の秘密鍵を出品端末１又は入札端末２に送信する（ステップＳ４０２）。
【００４３】
出品端末１又は入札端末２は、その秘密鍵を受信すると、その受信した秘密鍵を格納する（ステップＳ４０３）。
その後、出品又は入札の際、出品端末１又は入札端末２は、管理サーバ３に送信する出品データ又は入札データから、ハッシュ関数を用いてメッセージダイジェストを作成する（ステップＳ４０４）。
次に、出品端末１又は入札端末２は、その作成したメッセージダイジェストを秘密鍵で暗号化し、デジタル署名を作成する（ステップＳ４０５）。
そして、出品端末１又は入札端末２は、出品又は入札時に、出品データ又は入札データとともに、デジタル署名を管理サーバ３に送信する（ステップＳ４０６）。
【００４４】
管理サーバ３は、出品データ又は入札データとともにデジタル署名を受信すると、ハッシュ関数を用いて、その受信した出品データ又は入札データからメッセージダイジェストを作成する（ステップＳ４０７）。
次に、管理サーバ３は、受信したデジタル署名を公開鍵によりメッセージダイジェストに復号化する（ステップＳ４０８）。
そして、管理サーバ３は、その復号化したメッセージダイジェストと、ステップＳ４０７において自ら作成したメッセージダイジェストとを比較する（ステップＳ４０９）。
ここで、両ダイジェストが一致した場合（ステップＳ４０９／Ｙｅｓ）、管理サーバ３は、デジタル署名の認証が成功したと判断し、受信した出品データ又は入札データによる出品又は入札を受け付ける（ステップＳ４１０）。
一方、両ダイジェストが一致しなかった場合（ステップＳ４０９／Ｎｏ）、管理サーバ３は、デジタル署名の認証が失敗したと判断し、その受信した出品データ又は入札データによる出品又は入札を受け付けない（ステップＳ４１１）。
【００４５】
このように、管理サーバ３は、出品データ又は入札データを受信した際に、それらとともに受信したデジタル署名を用いて認証を行うので、悪意のある第三者が、インターネット特有の匿名性を悪用して不正にオークションに参加するのを防止することが可能となる。また、その悪意のある第三者が、出品者や入札者になりすましてオークションに参加することも防止することができるようになる。
【００４６】
（第１の実施の形態の画面）
図６は、本実施の形態におけるオークション用のＷｅｂページの表示例を示す図である。
前述したように、入札者は、入札端末２を用いて管理サーバ３にアクセスして、その図に示すようなオークション用のＷｅｂページを表示し、出品物の入札に参加する。
図に示すように、例えばこのページ上には、出品物名と、その入札者の入札金額と、現在の入札最高額とが示されており、入札者は、その最高額を上回る額を入札端末２を用いて提示していく。
この入札額の提示方法としては、例えば、その入札最高額を直接入力する。
また、他の方法としては、画面上のボタンやアイコンをクリックすると、一定額分（例えば１００円）、現在の最高額を上回る額で入札できるようにしておく。この場合、入札者はボタン等をクリックするだけで入札最高額を容易に提示できる。
【００４７】
また、画面上には、その出品物に参加している各入札者に対応したキャラクタが表示されている。入札者が入札額を提示するごとに、その入札者に対応するキャラクタの色が変化したり、アニメーション動作を行ったりする。
また、原則として、入札した入札者は全員、画面上にキャラクタで表示されるが、一定時間入札の無い入札者のキャラクタは、自動的に画面上から消去されるようにしてもよい。
【００４８】
その他、画面上には、主催者を模したキャラクタが表示されている。落札時には、その主催者のキャラクタがハンマーを打ちつけるといったアニメーション動作を行う。
【００４９】
このように、入札や落札に応じて、各キャラクタが変化したり特定の動作を行ったりすることにより、オークションの現状況を参加者にわかりやすくさせて親しみを持たせることができ、さらにはオークション特有の臨場感を提供することができるようになり、その結果、参加者のより一層の増加を見込むことが可能となる。
【００５０】
＜第２の実施の形態＞
（第２の実施の形態の概要）
第１の実施の形態では、入札者は、入札端末２を用いてＷｅｂサーバ（管理サーバ３）にアクセスしてオークション用のＷｅｂページをダウンロードし、そのＷｅｂページ上で入札又は落札を行っていた。
これに対し、第２の実施の形態では、入札者は、入札端末２を用いてオークション出品物に関連するＴＶ映像を受信し表示しているとき、任意のタイミングでそのＴＶ番組内の出品物のネットオークションに参加できるようになっている。
以下、特記しない限り、本実施の形態におけるネットオークションシステムは、第１の実施の形態と同様であるものとして説明を進める。
【００５１】
（第２の実施の形態の構成）
図７は、本発明の第２の実施の形態におけるネットオークションシステムの構成を示す図である。
図に示すように、本実施の形態におけるネットオークションシステムの構成は、第１の実施の形態における構成に、さらにオークションに関連する映像を入札端末２に配信する映像配信装置５を加えたものである。
この映像配信装置５は、ＴＶ放送局等に備えられ、電波により映像を配信するものである。
【００５２】
本実施の形態では、入札端末２は、Ｗｅｂページの受信・表示機能に加えて、前述の映像配信装置５から配信される映像を受信・表示する機能を備える、ＰＣや携帯電話機、携帯端末等の装置である。入札端末２は、その受信した映像及びＷｅｂページを合成して、それらを同一画面上に表示することができる。
【００５３】
また、本実施の形態において、管理サーバ３のデータベース３１には、映像配信装置５から配信されるＴＶ番組やＣＭの放映タイムテーブルが蓄積されている。
管理サーバ３は、このタイムテーブルを参照して、現在放映中のＴＶ番組やＣＭに関連する出品物のＷｅｂページを放映内容に同期させて入札端末２に配信する。
【００５４】
（第２の実施の形態の動作）
図８は、本発明の第２の実施の形態におけるネットオークションシステムによる入札時の動作の流れを示すシーケンスチャートである。以下、この図に沿って、本実施の形態における動作について説明を進める。
入札者は、入札端末２を用いて、映像配信装置５から配信されるＴＶ番組やＣＭの映像を受信し（ステップＳ５０１）、表示することができる（ステップＳ５０２）。
このとき、入札端末２は、現在表示中のチャンネルの識別情報を管理サーバ３に送信する（ステップＳ５０３）。
【００５５】
管理サーバ３は、入札端末２が現在受信しているチャンネルの識別情報を受信すると、データベース３１に蓄積されている該当チャンネルの放映タイムテーブルを参照し、その放映内容に関連した出品物のＷｅｂページ（以下、関連出品物ページという）を抽出して（ステップＳ５０４）、入札端末２に送信する（ステップＳ５０５）。
【００５６】
入札端末２は、その関連出品物ページを受信すると、画像の合成処理を行い、その関連出品物ページと、映像配信装置５からの映像とを同画面上に同時に表示する（ステップＳ５０６）。
このとき、関連出品物ページには、例えば、その映像中に登場しているグッズ（出品物）のオークションのお知らせ等が表示されている。さらに、このページ上には、そのグッズのオークション用のＷｅｂページへのリンクが貼られており、関連出品物ページ上のアイコンをクリックするとジャンプすることができるようになっている。
ここで、入札者は、入札端末２を用いて、そのアイコンをクリックすると、入札端末２は、そのアイコンに対応するグッズのオークション用のＷｅｂページの取得要求を管理サーバ３に送信する（ステップＳ５０７）。管理サーバ３は、その取得要求に応じてＷｅｂページを入札端末２にダウンロードし、入札端末２は、そのグッズのオークション用のＷｅｂページを表示する（ステップＳ５０８）。
そして、入札者は、そのＷｅｂページ上でグッズの入札を行う。
これ以降の入札処理については、第１の実施の形態と同様であるので、その説明を省略する。
【００５７】
（第２の実施の形態の画面）
図９は、本発明の第２の実施の形態における関連出品物ページの一例を示す図である。図に示すように、この関連出品物ページ上には、ＴＶ番組等の映像とともに、その映像に関連する出品物のネットオークション案内（開催時期、現在の入札最高額等）や、オークション用のＷｅｂページのＵＲＬやジャンプ用のアイコン等が表示されており、入札者は、興味のある出品物のオークションへ容易に参加できるようになっている。
【００５８】
このように、本実施の形態では、入札端末２は、ＴＶ番組やＣＭを放映中に、そのＴＶ番組やＣＭ中の出演者が着ている服やアクセサリー、乗っている車等の映像と同画面上に、それらのグッズ等のネットオークションのお知らせや、そのオークションのＷｅｂページへのリンクのアイコンを表示するので、入札者は、番組中において興味のあるグッズなどのオークションへ容易に参加することが可能となる。
また、出品者にとっては、ＴＶ番組やＣＭが、そのままその出品物のオークションの宣伝広告となるので、その出品物のオークションに参加する入札者を多数集めることができ、高額で落札される可能性を高めることが可能となる。
【００５９】
なお、本実施の形態では、映像配信装置５は、ＴＶ放送局に設置され、電波を介してＴＶ番組等を放映するものであるが、その他、ケーブルＴＶ局が有線ネットワークを介して映像を配信するものでもよいし、プロバイダやポータルサイトがインターネットＴＶを配信するものであってもよい。
【００６０】
＜第３の実施の形態＞
（第３の実施の形態の概要）
第２の実施の形態では、ＴＶの映像画面と、その映像中の出品物のオークション情報との両方が、入札端末２の同一画面上に表示されていた。
これに対し、本実施の形態では、ＴＶの映像画面と、その映像中の出品物のオークション情報とを、それぞれ別の端末で表示するものとする。
以下、特記しない限り、本実施の形態におけるネットオークションシステムは、第２の実施の形態と同様であるものとして説明を進める。
【００６１】
（第３の実施の形態の構成）
図１０は、第３の実施の形態におけるネットオークションシステムの構成を示す図である。
図に示すように、本実施の形態では、第２の実施の形態における構成に加え、さらに映像表示装置６が設けられている。
映像表示装置６は、映像配信装置５から配信された映像を無線又は有線を介して受信し表示する、例えばＴＶやＰＣ等の画像表示機能を備えた装置である。入札者は、この映像表示装置６によりＴＶ放送局から配信される映像を視聴することができる。
【００６２】
入札端末２は、第２の実施の形態と同様に、映像配信装置５から配信される映像と同期して、関連出品物ページを管理サーバ３からダウンロードして表示する。ただし、本実施の形態では、入札端末２は、映像配信装置５からの映像を受信し表示する機能を備えていなくてもよい。
本実施の形態では、入札端末２は、例えば携帯電話機等の携帯可能な端末である。入札者は、映像表示装置６によりＴＶ番組等を視聴しながら、入札端末２で関連出品物ページを閲覧して、オークションに関する情報を容易に取得したり、オークション用のＷｅｂページにジャンプして容易に入札を行ったりすることが可能となる。
【００６３】
このように、本実施の形態では、映像表示装置６でＴＶ番組を放映し、そのＴＶ番組等に関連する出品物のオークションの情報を入札端末２で表示するので、入札端末２の構成を簡略化することができる。例えば、この入札端末２が、ＴＶチューナの備えられていない通常の携帯電話機であっても、入札者は、ＴＶの設置場所においてこの入札端末２を使用することで、第２の実施の形態と同様に、ＴＶ番組等とリンクしたオークション情報を容易に取得することができる。
【００６４】
＜実施の形態のまとめ＞
以上説明したように、第１〜第３の実施の形態では、認証サーバ４は、出品者及び入札者がクレジットカードサービスに入会の際に身分照会がとれた者に対してのみ、その認証用のデータを格納するので、ネットオークションに参加する出品者又は入札者の透明性を確保することができ、オークションにおける不正やなりすましを容易に防止することが可能となる。
【００６５】
また、オークション開催時の画面では、入札の度に、主催者及び入札者を模したキャラクタがアニメーション動作等を行うので、入札者にとって親しみがわくとともに、オークション独特の臨場感を体験でき、入札者によるオークション参加への意欲を増大させることが可能となる。
【００６６】
また、ＴＶ等の配信映像に同期するように、その映像に関連する出品物のオークションの情報を、その映像と同一画面又は他の端末の画面上で表示するので、その広告効果により、入札者によるオークションへの参加意欲を増大させることが可能となる。
【００６７】
また、上記の出品端末１、入札端末２、管理サーバ３又は認証サーバ４は、主にＣＰＵとメモリにロードされたプログラムによって実現される。ただし、それ以外の任意のハードウェアおよびソフトウェアの組み合わせによってこの装置またはサーバを構成することも可能であり、その設計自由度の高さは当業者には容易に理解されるところである。
また、上記の出品端末１、入札端末２、管理サーバ３又は認証サーバ４をソフトウェアモジュール群として構成する場合、このプログラムは、光記録媒体、磁気記録媒体、光磁気記録媒体、または半導体等の記録媒体に記録され、上記の記録媒体からロードされるようにしてもよいし、所定のネットワークを介して接続されている外部機器からロードされるようにしてもよい。
【００６８】
また、前述の実施の形態では、信販会社側において出品者又は入札者の審査を行い、パスワードやＩＤ等の認証用のデータを発行していたが、例えば銀行や公的機関等の他の機関で審査を行い、認証用のデータを発行するようにしてもよい。
特に、銀行等の金融機関で認証データを発行し、落札金の支払い処理を一括して行う場合には、その支払い処理を簡略化することができる。
【００６９】
また、出品者又は入札者においては、ＶＩＰ会員、通常会員、仮会員等、その入会費や会員費に応じてサービス内容や特典に差をつけるようにしてもよい。
例えば、会員費を最も多く支払うＶＩＰ会員は、参加可能なオークション数が、通常会員や仮会員よりも多くなるように設定するようにしてもよい。
【００７０】
なお、上記の実施例は本発明の好適な実施の一例であり、本発明の実施例は、これに限定されるものではなく、本発明の要旨を逸脱しない範囲において種々変形して実施することが可能となる。
【図面の簡単な説明】
【００７１】
【図１】本発明の第１の実施の形態におけるネットオークションシステムの構成を示す図である。
【図２】本発明の第１の実施の形態におけるネットオークションシステムによる出品者又は入札者の登録動作の流れを示すシーケンスチャートである。
【図３】本発明の第１の実施の形態におけるネットオークションシステムによる出品者の出品物登録動作の流れを示すシーケンスチャートである。
【図４】本発明の第１の実施の形態におけるネットオークションシステムによる入札者の入札動作の流れを示すシーケンスチャートである。
【図５】本発明の第１の実施の形態におけるネットオークションシステムによるデジタル署名処理の流れを示すシーケンスチャートである。
【図６】本発明の第１の実施の形態におけるオークション用のＷｅｂページの表示例を示す図である。
【図７】本発明の第２の実施の形態におけるネットオークションシステムの構成を示す図である。
【図８】本発明の第２の実施の形態におけるネットオークションシステムによる入札時の動作の流れを示すシーケンスチャートである。
【図９】本発明の第２の実施の形態における関連出品物ページの一例を示す図である。
【図１０】本発明の第３の実施の形態におけるネットオークションシステムの構成を示す図である。
【符号の説明】
【００７２】
１    出品端末
２    入札端末
３    管理サーバ
４    認証サーバ
５    映像配信装置
６    映像表示装置
３１，４１    データベース
【図１】
2007249535.tif 000003
【図２】
2007249535.tif 000004
【図３】
2007249535.tif 000005
【図４】
2007249535.tif 000006
【図５】
2007249535.tif 000007
【図６】
2007249535.tif 000008
【図７】
2007249535.tif 000009
【図８】
2007249535.tif 000010
【図９】
2007249535.tif 000011
【図１０】
2007249535.tif 000012